(57)【特許請求の範囲】
【請求項１】
キッチン用容器（２）用の回転取付ハンドル（１）であって、
容器（２）の壁部に前記ハンドルを固定することを可能にする固定ベース（３）と、
ユーザが該容器を扱うことを可能にする把持可能第１角度ポジションから、該第１角度ポジションと異なるレスト第２角度ポジションへ、および、その逆向きに、実質的に回転軸（ＸＸ´）の周りに回転可能なように前記固定ベースに取り付けられる把持可能部材（５）と
を備え、
前記ハンドルは、該第１角度ポジションから該第２角度ポジションへの前記把持可能部材の動きに対抗するのに適する保持手段が設けられ、
前記ハンドル（１）は、保持手段が少なくとも第１ラッチ部（２５）および第２ラッチ部（３０）であって係合ポジションと解放ポジションとの間で第１経路（Ｔ２５）および第２経路（Ｔ３０）のそれぞれに沿って動くことができるように設計された少なくとも第１ラッチ部および第２ラッチ部を含むことで特徴付けられ、
該係合ポジションでは、該把持可能部材の動きに対抗するために、前記第１および第２ラッチ部は、それぞれ、第１当接面（２６Ａ）および第２当接面（３１Ａ）に対して当接状態になり、前記第１および第２当接面の一方または両方は該第１および該第２経路（Ｔ２５、Ｔ３０）のそれぞれの一方に対して実質的に横方向に配置され、
前記第１および第２当接面は、該回転軸（ＸＸ´）に沿って互いからある距離に配置され、
該解放ポジションでは、該把持可能部材が動くことを可能にするために前記ラッチ部（２５、３０）は前記第１および第２当接面（２６Ａ、３１Ａ）を解放する、
回転取付ハンドル。
【請求項２】
前記第１ラッチ部（２５）および前記第２ラッチ部（３０）は、それらの解放ポジションからそれらの係合ポジションへ動くために、あるいは逆もまた同様に、互いに対して、反対の方向に、動く、ことを特徴とする請求項１に記載の回転取付ハンドル。
【請求項３】
前記第１経路および前記第２経路（Ｔ２５、Ｔ３０）は、実質的に平行である、ことを特徴とする請求項１または請求項２に記載の回転取付ハンドル。
【請求項４】
前記第１ラッチ部（２５）および前記第２ラッチ部（３０）は、互いに対して反対の位置に取り付けられている、ことを特徴とする請求項２または請求項３に記載の回転取付ハンドル。
【請求項５】
前記第１および第２ラッチ部（２５、３０）は、共通の弾性部材（６３）によってそれらの係合ポジションに向けて付勢されている、ことを特徴とする請求項１から４のいずれかに記載の回転取付ハンドル。
【請求項６】
前記共通の弾性部材（６３）は、前記第１および第２ラッチ部（２５、３０）の間に、互いから離れて動くようにそれらを強制するように、置かれる、ことを特徴とする請求項５に記載の回転取付ハンドル。
【請求項７】
前記把持可能部材（５）は、前記ベース（３）に接続される輪状部（６）によって形成されている、請求項１に記載の回転取付ハンドル。
【請求項８】
前記ラッチ部（２５、３０）の１つまたは複数は、前記固定ベース（３）に平行移動でガイドされる１つまたは複数のスライド（３５、３６）によって運ばれる、ことを特徴とする請求項１から７のいずれかに記載の回転取付ハンドル。
【請求項９】
前記第１および第２ラッチ部（２５、３０）は、互いに対して、スライド可能なように面当接状態に重ね合わせられるブレード（５０）によって形成される、ことを特徴とする請求項１から８のいずれかに記載の回転取付ハンドル。
【請求項１０】
前記第１経路および／または前記第２経路（Ｔ２５、Ｔ３０）は前記回転軸（ＸＸ´）と実質的に同一直線上にある、ことを特徴とする請求項１から９のいずれかに記載の回転取付ハンドル。
【請求項１１】
前記第１経路および／または前記第２経路（Ｔ２５、Ｔ３０）は前記回転軸（ＸＸ´）に対して実質的に径方向にある、ことを特徴とする請求項１から９のいずれかに記載の回転取付ハンドル。
【請求項１２】
前記第１および第２ラッチ部（２５、３０）は、同じスライド（３５）によって運ばれ、クロスピース（３９）によってある距離互いから離れて互いに対して実質的に平行にかつ保持される第１および第２舌状部（３５Ａ、３５Ｂ）のそれぞれによって運ばれる、第１および第２隆起部によって形成され、
前記把持可能部材（５）は実質的に一直線上にある少なくとも第１および第２継手軸部（２１、２２）を有し、それを介して前記ベース（３）に蝶番で動くように取り付けられ、前記継手軸部（２１、２２）の各々は、第１に、第１ラッチ部（２５）または第２ラッチ部（３０）が解放ポジションへ後退することができる解放凹部（７０）を形成する凹ハブ（４０）を有し、第２に、前記ラッチ部が係合ポジションに挿入されるとき対応するラッチ部に当接面（２６Ａ、３１Ａ）を提供する当接凹部（２６、３１）が設けられる厚さ方向において、前記ハブ（４０）の縁部を縁どるリム（４１）を有する、ことを特徴とする請求項８または１１に記載の回転取付ハンドル。
【請求項１３】
前記保持手段（１０）は、前記把持可能部材（５）をそれの第１角度ポジションにロックすることを可能にし、該把持可能部材（５）と別個であると共に前記第１および第２ラッチ部（２５、３０）に共通である、ユーザによって作動可能な制御部材（１５）の依存下に置かれる、ことを特徴とする請求項１から１２のいずれかに記載の回転取付ハンドル。
【請求項１４】
前記制御部材（１５）は、前記第１経路および／または前記第２経路に対して実質的に横である方向に動くように配置されたプッシュボタン（１６）を含む、ことを特徴とする請求項１３に記載の回転取付ハンドル。
【請求項１５】
前記第１当接面（２６Ａ）および／または前記第２当接面（３１Ａ）は前記把持可能部材（５）によって制御されるリロードランプ部（６０）を形成するように、それぞれの前記第１ラッチ部（２５）または前記第２ラッチ部（３０）の経路に対して傾けられ、所定の閾値よりも大きな力が前記把持可能部材に及ぼされるとき、その解放ポジションに向けて、それぞれの前記第１ラッチ部（２５）または前記第２ラッチ部（３０）を押すことを可能にする、ことを特徴とする請求項１から１４のいずれかに記載の回転取付ハンドル。
【請求項１６】
請求項１から１５のいずれかに記載の、少なくとも１つの回転取付ハンドル（１）を含む、ことを特徴とするキッチン用容器（２）。
【発明の詳細な説明】
【技術分野】
【０００１】
本発明は、食料を準備したり調理したりするために用いられるように設計されたあらゆる種類のキッチン用容器の一般的技術分野に関し、さらに特に、把持可能ポジションと、例えば容器の格納を容易にするために使える、レストポジションとの間で変えるために適する１つまたは複数の回転取付ハンドルを備える容器に関する。
【０００２】
本発明は、さらに特に、キッチン用容器用の回転取付ハンドルに関し、前記ハンドルは、容器の壁部にハンドルを固定することを可能にする固定ベースと、実質的に回転軸（ＸＸ´）の周りに回転可能なように固定ベースに取り付けられる把持可能部材とを備え、該把持可能部材は、ユーザが容器を扱うことを可能にする把持可能第１角度ポジションから、該第１角度ポジションと異なるレスト第２角度ポジションへ、および、その逆向きに、かわることができ、該ハンドルは、第１角度ポジションから第２角度ポジションへの前記把持可能部材の動きに抵抗するのに適する保持手段が設けられる。
【０００３】
本発明は、本発明の回転取付ハンドルを備えたキッチン用容器にも関する。
【背景技術】
【０００４】
キッチン用容器、特に皿、シチュー鍋、深いフライパン、または、圧力鍋は、容器の外壁のいずれかの側に対で一般的に配置される回転取付ハンドルを備えられることができ、そのようなハンドルは、容器の径方向に実質的に一直線に延びる持ち上げポジションと、容器の全サイズを制限し、それによりそれの収容を容易にするために概ね垂直に折られたレストポジションとの間でかわるのに適する。
【０００５】
容器の取り扱い中のユーザの安全を保証するために、例えばハンドルのベースまたは輪状部に設けられることができる停止面に対してラチェットを形成する弾性舌状部を用いて、ハンドルが持ち上げポジションにあるときにハンドルをロックすることを可能にするロック手段は、また、提供される。
【発明の概要】
【０００６】
それらは一般に満足できるものであるけれども、しかしながら、回転取付ハンドルにはある種の欠点があり得る。
【０００７】
特に、ある種既知のロック手段は、容器の取り扱い中、ユーザによって不用意にロックされないという危険性を欠点として持ち得、そのようにロックされないことは、前記ユーザの安全に必然的に好ましくない。
【０００８】
時々、ハンドルおよびロック機構の構成要素のある程度の脆弱さまたは過度の複雑さは、故障をもたらし、それはロックを妨げ、あるいは、ロックの信頼性を脅かす可能性がある。
【０００９】
既知のロック手段は、特に、残飯、水、調理排出、洗浄剤、あるいは、まさに衝撃にさらされることによって、時々動きが悪くなり得、あるいは、容器の通常の使用で損傷し得、それらはロック手段の操作またはその信頼性を脅かし得る。
【００１０】
もう一つのケースでは、そのような出来事は、修理されない限り、時々、容器を使用不可にし、新しい容器の価格に対して高価であり得る。
【００１１】
加えて、ある種の既知のハンドルのロック機構は、相対的に大きく、姿形が悪いことがある。
【００１２】
最後に、ある種の既知のロック手段の仕組みは、時々使い難く、ユーザがそれらを操作することを危険にすらし、例えば手の指または手のひらを挟んで締め付けるという危険にユーザをさらす。
【００１３】
それ故、本発明に付与される目的は、上記欠点を改善することであり、さらなる信頼性および寿命を与える、キッチン用容器用の新奇な回転取付ハンドルを提案することである。
【００１４】
本発明の別の目的は、シンプルでコンパクトな設計である、特にシンプルで、製造、組み立てあるいは修理に費用のかからない、新奇な回転取付ハンドルを提案することである。
【００１５】
本発明の別の目的は、特にシンプルで直感的に理解でき、操作に安全である、新奇な回転取付ハンドルを提案することにある。
【００１６】
本発明の別の目的は、高品質の仕上がりおよび品のよい外観を有する新奇な回転取付ハンドルを提案することにある。
【００１７】
本発明の別の目的は、強化された、安定性のある、かつ、バランスのとれたロックを使用中ポジションにおいて有する新奇な回転取付ハンドルを提案することにある。
【００１８】
本発明の別の目的は、しっかりとして、信頼性があり、かつコンパクトで、並びに、より容易であり、特に直感的に理解でき、使用、取り扱い、特に収容するのに安全である、新奇なキッチン用容器を提案することにある。
【００１９】
本発明の目的は、キッチン用容器用の回転取付ハンドルによって成し遂げられ、前記ハンドルは、容器の壁部に前記ハンドルをしっかり固定することを可能にする固定ベースと、実質的に回転軸（ＸＸ´）の周りに回転可能なように前記固定ベースに取り付けられる把持可能部材とを備え、該把持可能部材は、ユーザが容器を扱うことを可能にする把持可能第１角度ポジションから、該第１角度ポジションと異なるレスト第２角度ポジションへ、および、その逆向きに、かわることができ、前記ハンドルは、第１角度ポジションから第２角度ポジションへの前記把持可能部材の動きに対抗するのに適する保持手段が設けられ、前記ハンドルは、保持手段が少なくとも第１ラッチ部および第２ラッチ部であってそれらが係合ポジションと解放ポジションとの間で第１経路および第２経路のそれぞれに沿って動くことができるように設計された少なくとも第１ラッチ部および第２ラッチ部を含むことで特徴付けられ、最初にその係合ポジションでは、把持可能部材の動きに対抗するために、前記第１および第２ラッチ部はそれぞれ第１当接面および第２当接面に対して当接状態になり、前記第１および第２当接面の一方または両方は第１および第２経路のそれぞれの一方に対して実質的に横方向に配置され、前記第１および第２当接面は、回転軸（ＸＸ´）に沿って互いからある距離に配置され、第２にその解放ポジションでは、把持可能部材が動くことを可能にするために前記ラッチ部は前記第１および第２当接面を解放する。
【００２０】
本発明の目的は、本発明の回転取付ハンドルを備えたキッチン用容器によっても成し遂げられる。
【００２１】
本発明の他の目的、特徴、および、利点は、非限定の説明のつもりで単に与えられる、以下の説明を読むことで、かつ、添付図面によって、より詳細に分かる。
【図面の簡単な説明】
【００２２】
【図１】本発明の第１改良型実施形態に対応する２つのハンドルが設けられたキッチン用容器の平面図であり、一方は把持可能ポジションに持ち上げられ、他方はレストポジションに折り曲げられている。
【図２】図１に示されるキッチン用容器の断面での断片的な側面図である。
【図３】図１および２の改良型実施形態に相当する回転取付ハンドルの第１改良型実施形態がどのようにキッチン用容器に組みつけられるかを示す、部分斜視図であり、分解図である。
【図４】図１および２の改良型実施形態に相当する回転取付ハンドルの第１改良型実施形態がどのようにキッチン用容器に組みつけられるかを示す、部分斜視図であり、組立図である。
【図５】把持可能ポジションにある、本発明のハンドルの第２改良型実施形態を示す斜視図である。
【図６】把持可能ポジションにある、本発明のハンドルの第２改良型実施形態を示す側部断面図である。
【図７】レストポジションに折り曲げられている、本発明の回転取付ハンドルの第３改良型実施形態を示す斜視図である。
【図８】図７のハンドルの保持手段を形成するダブルラッチ部機構の一部を示す、内部が見えるようにした斜視図であり、そのハンドルは把持可能ポジションにある。
【図９】図７および図８に示される第３改良型実施形態に相当する２つの回転取付ハンドルが設けられたキッチン用容器の断面での断片的な側面図であり、左側のハンドルは把持可能ポジションにあり、右側のハンドルはレストポジションにある。
【図１０】図９に示されるキッチン用容器の上からの断面図である。
【図１１】本発明のハンドルの、自動式のロック／解放を有する、第４改良型実施形態の、前記ハンドルがレストポジションにあるときの、斜視図である。
【図１２】図１１に示されるハンドルがどのようにキッチン用容器に組みつけられるのかを示す分解斜視図である。
【図１３】ハンドルが把持可能ポジションに近づいているときの、図１２の要素を示す、内部が見えるようにした斜視図である。
【発明を実施するための形態】
【００２３】
本発明は、キッチン用容器２の回転取付ハンドル１に関し、そのハンドルは、皿、深いフライパン、ソースパン、煮出し汁鍋、シチュー鍋、圧力鍋などのような、料理の用意、提供または調理用に設計される様々なタイプの容器に自由に適合するのに当然ながら好適である。
【００２４】
この目的のために、ハンドル１は、容器の壁部４にそれを固定することを可能にする固定ベース３を含む。
【００２５】
好ましくは、ベース３は、壁部４にドリルで穴を開けるまたは壁部４を通過することを必要とせずに、容器２にハンドル１を固定することを可能にする。
【００２６】
この目的のために、前記ベース３が壁部４と一体的に形成されたり、あるいは、そこに取り外し不可能に固定されることが可能であるけれども、前記ベース３は、好ましくは、有利に壁部４に取り外し可能に取り付けられ、壁部４に組み合わせられる分離パーツである。
【００２７】
この目的のために、前記壁部４に対して前記ベース３を押し付けるように、例えば、壁部から突き出て例えばそこに溶接されることによって、好ましくはそこに取り付けられるネジ山付きブラケット８に係合状態になる固定ねじ７を用いることが可能である。
【００２８】
以下の説明において、ベース３が固定基準座標系を形成することが好ましくは考えられる。
【００２９】
容器２はもちろん任意の形状であり得、特に、壁部４が、好ましくは垂直方向（ＺＺ´）に相当して以下の説明における方向と同様にとられることができる、生成軸の周りの閉鎖輪郭Ｃを囲むように延在することができ、それにより実質的に円柱を形成し、それにおいてベースは、容器の底部を定め、例えば実質的に円形、楕円形、多角形などであり得る。
【００３０】
加えて、ハンドルは、もちろん決して限定されない形状を有する把持可能部材５を含む。ただし、ハンドルが容器２を扱うことを目的としてつかまれることを前記部材は可能にする。
【００３１】
したがって、前記把持可能部材５は、特に、棒形状部材によって形成され得、この棒形状部材は、細長く、実質的に直線的で、さもなければ湾曲状であり得る。
【００３２】
好ましくは、図に示されるように、前記把持可能部材５は、好ましくは膨らみを有する輪状部６によって形成され、その端部６Ａ、６Ｂで、例えば実質的に円筒状の膨らみを有し、前記輪状部は、有利に、前記端部６Ａ、６Ｂの各々を介してベース３に接続され、故に、前記ベースと一緒に、それは、実質的に閉鎖輪郭、例えば環状のあるいは楕円形の閉鎖輪郭を定める。
【００３３】
本発明によれば、把持可能部材５は、図１、２、９、１０の左側に示されるのみならず、図４、５、６にも示されるような、ユーザが容器２を扱うことを可能にする、把持可能第１角度ポジションから、特に図１、２、９、１０の右側に示されるのみならず、図７、１１にも示されるような、前記把持可能第１角度ポジションと異なるレスト第２角度ポジションへ、そして、その逆へ、実質的に回転軸（ＸＸ´）周りに回転可能に前記固定ベース３に取り付けられる。
【００３４】
もちろん、この軸回転は有利に可逆的であり、ハンドル１がユーザによってこの目的のために適切に動かされるとき、前記把持可能部材５は、反対に、第２角度ポジションから第１角度ポジションへ動くのに適する。
【００３５】
もちろん、本発明は、回転の特定の方向に決して限定されず、また、特定の第１および第２角度ポジションに決して限定されない。
【００３６】
しかし、把持可能第１角度ポジションは、好ましくは、把持可能部材５、さらに特に輪状部６が容器の生成軸に対して径方向に実質的に延在するポジションに好ましくは相当し、レスト第２ポジションは非径方向のポジションに実質的に相当する。
【００３７】
この目的のために、（図示しない）改良型実施形態において、把持可能部材の経路が水平面に実質的に含まれ、前記把持可能部材は壁部に対して実質的に直角でかつ垂直方向に実質的に平行に突き出る第１ポジションから、把持可能部材５が壁部４の輪郭Ｃに対して実質的に接線方向に折り畳まれる構成に相当する第２角度ポジションへ動くことができるように、回転は、垂直方向の軸（ＸＸ´）周りで実質的に生じることが可能である。
【００３８】
しかし、好ましくは、前記回転は、輪郭Ｃに対して好ましくは実質的に接線方向である実質的に水平な軸（ＸＸ´）の周りに生じ、把持可能部材５がそれのレスト角度ポジションに位置づけられているとき、それが壁部４に沿って実質的に垂直に垂れ下がり、第１角度ポジションは、好ましくは、輪状部６がベースからそれの遊離部分に向けて、実質的に水平面に沿ってあるいは、例えば、水平面の下−１０°から該水平面の上＋２０°、＋３０°までの範囲に実質的にある方向にあるわずかな上昇面に沿って、延在するポジションに相当する。
【００３９】
有利に、両方のケースにおいて、第１角度ポジションから第２角度ポジションへ動くことは、特に食器洗い機に入れたりしまい込んだりするために、ハンドル１の全サイズを、よりおおまかには容器２の全サイズを減らすことを可能にする。
【００４０】
本発明によれば、ハンドル１は、把持可能第１角度ポジションから特にレスト第２角度ポジションに向けての前記把持可能部材５の回転に抵抗するのに適する保持手段１０も提供される。
【００４１】
有利に、前記保持手段１０は、把持可能部材５が不用意に回転したりタイミング悪くそれのレストポジションに向けて回転したりすることを妨げ、よって、容器が容易にかつ安全につかまれて扱われることを可能にする。
【００４２】
好ましくは、保持手段１０は、把持可能部材５をそれの第１角度ポジションに実質的に維持するように設計され、あるいは、前記第１角度ポジションから前記第２角度ポジションに向けて動く動き方向に少なくとも対して、第１角度ポジションにベース３に対して前記把持可能部材５をロックすることを可能にする非リターン手段をいかにも形成するように設計される。
【００４３】
好ましくは、前記保持手段は、少なくとも１つのアクティブ部１１、１２を有し、それらを介して、それらは、把持可能部材５に、第１角度ポジションから第２角度ポジションへ動くそれに対抗するために、作用することができる。
【００４４】
有利に、ハンドル１は、前記把持可能部材５が前記第１角度ポジションにあるとき、反対方向の動き、すなわち第２角度ポジションから第１角度ポジションに向けた動きから、把持可能部材５を止める障害物を形成する停止当接部１３も備えられることができる。
【００４５】
換言すれば、前記把持可能部材がそれの把持可能ポジションに達するまで上げられるとき、前記停止当接部１３は、有利に、前記把持可能部材５の動きを妨げ、ブロックすることを可能にする。
【００４６】
もちろん、この目的のために、把持可能部材５が容器の壁部４または（図示しない）容器の蓋に対して当接状態になることを可能にする任意のカムまたは突起システムを用いることが可能である。
【００４７】
しかし、図に示されるように、前記停止当接部１３は、好ましくは、ベース３に設けられる肩部１３Ａによって形成され、それに対して、輪状部６の対応する端部の突出要素１３Ｂが当接状態になる。
【００４８】
好ましくは、把持可能部材５は、前記把持可能部材５が第１角度ポジションから第２角度ポジションへ回転することを可能にする少なくとも１つの継手軸部２１、２２を用いて、ベース３によって支えられる。
【００４９】
したがって、前記把持可能部材５は、好ましくは、ベース３に、その他につなぎ留め式ピボットリンクを介して取り付けられ、前記少なくとも１つの継手軸部２１、２２は対応するピボット軸、特に対応する回転軸（ＸＸ´）を具体化する。
【００５０】
もちろん、前記継手軸部２１は決して限定されず、特に図示されない改良型実施形態において、前記第１継手軸部が、前記ベースの側縁部に円筒形ベアリング面を形成するように、ベース３に固定され、あるいは、それと共に実に一体的に形成されることが可能であり、一方、輪状部６の端部６Ａ、６Ｂは前記ベアリング面上に自由に回転するようにかみ合うのに適するブッシュのような雌型ベアリングを有する。
【００５１】
しかし、特に好ましくは、特に輪状部６を製造し、それをベース３に取り付けるための操作を簡易化するために、図に示されるように、継手軸部２１、２２は、把持可能手段５に固定され、特に好ましくはそれと共に一体的に形成され、したがって把持可能手段５はピボットリンクの雄型部材を有する。
【００５２】
したがって、輪状部６は、好ましくは、継手軸部２１、２２を形成するのに役立つ突出部が、または、任意で、例えば内部係合による、継手軸部を受け入れるように設計されたソケットが、その端部６Ａ、６Ｂの各々に、設けられることができる。
【００５３】
そして、有利に、継手軸部２１、２２は、ベース３に設けられた好ましくは滑らかなベアリング２７に係合され、ガイドされることができる。
【００５４】
したがって、考慮される実施形態に関係なく、ハンドル１は、実質的に一直線上に、かつ、ベースのいずれかの側に好ましくは配置される少なくとも２つの継手軸部２１、２２を含むことができる。
【００５５】
本発明の重要な特徴によれば、保持手段は少なくとも第１ラッチ部２５および第２ラッチ部３０を含み、それらは係合ポジションと解放ポジションとの間で第１経路Ｔ２５に沿っておよび第２経路Ｔ３０に沿ってそれぞれ動くことができるように設計され、始めにその係合ポジションでは、把持可能部材の動きに対抗するために、前記第１および第２ラッチ部は第１当接面２６Ａに対しておよび第２当接面３１Ａに対してそれぞれ当接状態になり、前記第１および第２当接面の一方または両方は第１および第２経路Ｔ２５、Ｔ３０のそれぞれの一方に対して実質的に横に配置され、前記第１および第２当接面は回転軸（ＸＸ´）に沿って互いからある距離に配置され、次にその解放ポジションでは把持可能部材５が動くことを可能にするために前記ラッチ部２５、３０は前記第１および第２当接面２６Ａ、３１Ａを解放する。
【００５６】
したがって、有利に、保持部材１０は、それぞれベースと関係付けられおよび把持可能部材と関係付けられる連続面間の接触によって、すなわち、ラッチ部の側壁および前記ラッチ部が当接状態になる当接面の間の接触によって、ロックを成し遂げることを可能にする。
【００５７】
それぞれのラッチ部に対して少なくとも一部分横に延在する当接面を提供することは、ラッチ部が前記当接面に沿って係合するとき、いわば、前記当接面を「受けて」スライドするとき、ラッチ部に、その経路に直角でなく、それ故に前記ラッチ部の係合／解放経路に実質的に横である少なくとも１つの成分を有する保持力を前記ラッチ部に対して及ぼすのに適する、すなわち、少なくとも前記経路に対して実質的に横である方向におけるラッチ部動きに対して横の障害物を形成するのに適する、当接リッジを提供することを可能にする。したがって、有利に、特に安定性があり安全なロックを得ることが可能である。
【００５８】
この目的のために、当接面２６Ａ、３１Ａは好ましくはある面に実質的に延在し、図１から図１０に示される第１、第２および第３改良型実施形態に適用されるように対応するラッチ部２５、３０の経路Ｔ２５、Ｔ３０に実質的に平行であるか、図１１から図１３に示される第４改良型実施形態に適用されるように、対応するラッチ部の経路に対して、前記経路に沿って、前記経路に実質的に交わるように、好ましくは解放ポジションから係合ポジションに向けて動く動きの同じ方向に集中するように、確かに傾けられることができる。
【００５９】
加えて、当接面２６Ａ、３１Ａの分布、より特に互い違いの配置は、それ故、前記ラッチ部が係合ポジションにおいてそれら自体を少なくとも見つけるときの、回転軸（ＸＸ´）に沿う異なる横座標ポイントでの前記当接面２６Ａ、３１Ａとそれぞれの第１および第２ラッチ部２５、３０のアクティブ部１１、１２との間の協働ゾーンの配置は、有利に、互いに別個であって互いから相隔たる複数の協働ゾーンを作り出すことによって、「マルチポイント」ロックを得ることを可能にする。
【００６０】
したがって、ロックをより良く分布させ、かつ、より良くロックのバランスをとることが可能であり、加えて、楔割れのある程度の危険性やハンドルの異常停止を抑えることが可能である。
【００６１】
加えて、保持手段の過剰、さらに特にラッチ形成ラッチ部２５、３０の過剰は、特に、ラッチ部および当接面を備える各対、すなわち、各協働ゾーンが単独で適切なロックを成し遂げるのに十分であるのに適する場合、ロックの信頼性を改善する。
【００６２】
加えて、好ましくは、保持手段１０は、自動式の非リターン手段を形成し、把持可能部材５がそれの第１角度ポジションの十分近くに至らされあるいは第１角度ポジションに十分達したとき、第１および／または第２ラッチ部２５、３０は係合ポジションへ自発的に動くように配置されている。
【００６３】
この目的のために、好ましくは、第１および／または第２ラッチ部は、つる巻きバネのような弾性部材６３によって直接的にまたは間接的にそれの係合ポジションへ駆動される。
【００６４】
好ましくは、図に示される全ての改良型に適用されるように、前記弾性部材６３は２つのラッチ部に共通である。
【００６５】
特に好ましくは、図８から図１０および図１１から図１３に対応する第３および第４改良型に特に適用するように、共通の弾性部材６３は、第１ラッチ部と第２ラッチ部との間に、互いに対して反対に別々にそれらが動くように、この例では直接的に置かれる。
【００６６】
加えて、継手軸部２１、２２は、好ましくは、動くラッチ部２５の全てまたはある程度の部分を受けるように設計された少なくとも第１当接凹部２６が設けられる。
【００６７】
もちろん、ラッチ部２５および当接凹部２６の配置は、任意の特定の改良型実施形態に決して限定されない。
【００６８】
したがって、（図示しない）改良型実施形態において、継手軸部２１、２２に設けられた当接凹部２６が、第１ラッチ部２５全体を含み、ラッチ部２５の全てまたはある程度の部分によって連続的に占められるように設計されることが可能である。そして、その凹部は、前記当接凹部２６から外側に展開する方向において、さらに特に径方向外側方向において直接的にまたは間接的に前記ラッチ部にプレストレスを与える前記ラッチ部を進ませる弾性部材６３を受け入れることができ、それは前記継手軸部に突出する前記ラッチ部を配置するのに適する。
【００６９】
この改良型において、ベアリング２７は、ベース３に固定されるかベース３と一体化されていて、少なくとも１つの当接面２６Ａを有する刻み目を備えることができ、そこにおいて、ラッチ部２５、より特にその端部に位置されるアクティブ部１１は、把持可能部材５がそれ自体把持可能ポジションにあるとき、継手軸部をベアリングに接続するブリッジを形成し、それ故にコッターピンに似ている、継手軸部とベアリングの相対回転をブロックするために、挿入されることができる。
【００７０】
したがって、ラッチ部２５を備えた継手軸部２１によって形成されるサブアセンブリは、保持手段１０の雄型部材を構成することができる。
【００７１】
しかし、図に示される全ての改良型に対応する好ましい改良型実施形態では、第１当接凹部２６は雌型部を形成し、そこの中に、ベース３に対する把持可能部材５の回転における動きに対抗するために第１ラッチ部２５のアクティブ部１１は貫通し、そこから前記アクティブ部１１がそのような回転における動きを解放するために後退する。
【００７２】
換言すると、第１ラッチ部２５は、好ましくは、把持可能部材５がそれの把持可能第１角度ポジションにない限り、ベース３において当初は受け入れられていて、継手軸部になく、そして、当接凹部２６、当接面２６Ａを形成するその壁部は空である。
【００７３】
前記第１ラッチ部２５は、前記第１当接凹部が前記第１ラッチ部２５と一直線になっているとき、前記第１当接凹部２６と係合するようになるように、したがって、それの動きの自由度が前記凹部を縁どる当接面２６Ａによって横方向で限定されるか確かに妨げられるように、有利に自発的に、ベース３の内側で、つなぎ留めおよびガイド様式で、好ましくは平行移動で動くのに適する。
【００７４】
もちろん、第２移動ラッチ部３０は、好ましくは、実質的に同様に、第２当接凹部３１と協働し、第２ラッチ部３０および第２当接凹部３１の特性は好ましくは第１ラッチ部および第１当接凹部の特性から必要な変更を加えて推論可能である。
【００７５】
本発明の意味において、把持可能部材５がベース３に対して再び自由に回転運動することを可能にするように、当接面２６Ａ、３１Ａを解放するために、さらに特に当接凹部２６、３１から前記ラッチ部のアクティブ部１１、１２を抜き出すために、ラッチ部２５、３０が後退することをもたらすことが必要である。
【００７６】
把持可能部材５の時ならぬ任意の動きを避けるために、保持手段１０は、作動可能な制御部材１５の依存下に置かれ、したがってユーザによって制御可能である。
【００７７】
図１１から図１３に対応し、以下に詳細に説明される改良型実施形態において、前記制御部材１５は、独立発明を構成し得る特徴に従い、把持可能部材５それ自体によって、特定の解放操作が前記把持可能部材に行われるとき、例えば、所定の閾値よりも大きな力が、さらに特に回転方向においてのみ、すなわちこの例では下方に、前記把持可能部材５にユーザによって及ぼされるとき、第１角度ポジションから第２角度ポジションへ動くことを可能にするように、構成されることができる。
【００７８】
しかし、特に好ましい様式において、使用が直感的に理解でき、また最高の安全性があることの両方を確実にするために、制御部材１５は第１、第２および第３改良型実施形態に適用されているように、把持可能部材５と別個である。したがって、前記部材は別個の制御部材の積極的な処置によってのみ解放されることができるので、把持可能部材５が時ならぬ解放することを防ぐことが可能である。
【００７９】
加えて、好ましくは、前記制御部材１５は、第１および第２ラッチ部２５、３０に共通であり、すなわち、前記ラッチ部の各々に作用することができ、好ましくは自発的に、さらに特に、それらの係合ポジションからそれらの解放ポジションへ後退することをそれらにもたらすように、作用することができ、この特徴は図に示される全ての４つの改良型実施形態に共通である。
【００８０】
前記制御部材１５は、特に、集中制御を提供するように、好ましくは単一の共通のプッシュボタンである、プッシュボタン１６を備えることができ、前記プッシュボタンは有利にユーザにとって容易にアクセスできかつ操作できるように配置されることができる。
【００８１】
有利に、前記プッシュボタンは、ラッチ部を駆動するものと同じ弾性部材６３によって元に付勢されることができる。
【００８２】
この目的のために、特に、図９および図１０に示される操作指部５２のような、任意の伝達または転換運動用の機構によって、前記プッシュボタンを介して間接的にラッチ部２５、３０を弾性部材６３が駆動することが可能である。
【００８３】
好ましくは、回転取付ハンドル１は、実質的に対称的な配置を有することができ、さらに特に、容器の生成軸（ＺＺ´）を含む実質的に垂直な矢状中央平面周りに対称性を有することができ、その配置において、２つの継手軸部２１、２２は第１ラッチ部２５および第２ラッチ部３０とそれぞれ協働し、それらのラッチ部はそれぞれの継手軸部の移動能力を制御する。
【００８４】
好ましくは、ラッチ部２５、３０は、平行移動においてガイドされる１つまたは複数のスライド３５、３６によって運ばれ、特に、好ましくはベース３によってそして前記ベースの内部で、１つまたは複数のスライド３５、３６と一体的に形成される。
【００８５】
例により、前記スライド３５、３６は、径方向であることができ、特に図１から図６に示される第１および第２改良型実施形態に適用するように、対応するラッチ部２５、３０が径方向に動くことを可能にするように、継手軸部２１、２２の軸（ＸＸ´）に実質的に横であるまたは全く直角である方向における平行移動においてガイドされることができる。
【００８６】
逆にいえば、本発明をそれ自体で構成することができる特徴によれば、スライド３５は軸方向であることができ、図７から図１３に示される第３および第４改良型実施形態に適用するように、継手軸部２１、２２の軸（ＸＸ´）に実質的に平行であり、さらに特に軸（ＸＸ´）と同一直線上にあり、特に好ましくは前記軸（ＸＸ´）と実質的に共通の軸をもった、方向における平行移動においてガイドされることができ、そこにおいて、ラッチ部は、実質的に軸（ＸＸ´）と同一直線上にあるまたは継手軸部によって運ばれる軸タイプのロック／解放の動きに駆動される。
【００８７】
したがって、第１経路Ｔ２５および／または第２経路Ｔ３０は回転軸（ＸＸ´）と実質的に同一直線上にあることができる。
【００８８】
加えて、それらの全体的な方向に関係なく、第１および第２経路が実質的に平行であることが可能である。
【００８９】
さらに特に、第１ラッチ部および第２ラッチ部は、協働し、実質的に平行かまたは確かに共通の軸をもつ経路Ｔ２５、Ｔ３０に好ましくは沿って、同じ方向において実質的に動くことができる。
【００９０】
特に、２つのラッチ部が、図１から図６に示される第１および第２改良型実施形態に適用するように、縦一列に並んで、同じスライドによって運ばれることが可能である。
【００９１】
本発明をそれ自体が構成することができる特徴によれば、特に当接面のまたはラッチ部とのそれらの相互作用の構成とは無関係に、第１および第２ラッチ部２５、３０は、それらの解放ポジションからそれらの係合ポジションへ動くために、あるいは逆もまた同様に、互いに対して、反対の方向に、動くことができ、すなわち、特に、互いに向けて動く相対運動または逆に離れるように動く相対運動を概してもたらすことができる。
【００９２】
さらに特に、前記ラッチ部２５、３０は、図７から１０および図１１から１３にそれぞれ示される第３および第４改良型実施形態に適用するように、実質的に平行である方向にまたは確かに一致するが反対側にある方向に動くように互いに対して反対の方向に取り付けられることができる。
【００９３】
例の目的で、図８を参照して、第１ラッチ部２５が第１継手軸部２１においてそれのロックポジションに達するまで「左の方に」動き、第２ラッチ部３０が第２継手軸部２２との同じ効果を成し遂げるために第１ラッチ部の動きを実質的に「鏡に映すように反映させて」、「右の方の」動きをもたらすことが観察されることができる。
【００９４】
さらに概して、第１および第２ラッチ部は、互いに異なる移動要素を構成することができ、任意に３つの次元で完全に離され、例に応じて、第１および第２改良型実施形態に適用するように縦一列に並ぶことができ、または第３改良型に適用するように第２ラッチ部の動きの依存の元に第１ラッチ部の動きを配置するか逆もまた同様であるように配置する共通機構を介して互いに連結されることができる動きを有する移動要素を構成することができ、あるいは、他に、最後に、互いから完全に自由で独立した移動要素を構成することができ、ラッチ部の各々は、第４改良型に適用するような他方のラッチ部の振る舞いおよび位置にかかわらず、係合ポジションおよび／または解放ポジションを自由にとるのに適する。
【００９５】
加えて、第１および第２経路Ｔ２５、Ｔ３０は、同じように、実質的に同一直線上に、実質的に平行、交差、収束または発散するであろう。
【００９６】
もちろん、当業者は、上記特徴を任意に自由に組み合わせることができ、例えば、同じ継手軸部内で、反対の方向にまたは星形構成に取り付けられ、前記継手軸部の外側側面から飛び出しかつ突出するように設計される、複数のラッチ部を提供することができる。
【００９７】
しかし、保持手段１０を形成し、信頼でき安全なロックを保証する小型化努力必要品を制限するために、反対側に取り付けられるラッチ部を提供することは、好ましくは、ラッチ部が軸方向に動くように取り付けられる構成のためにとっておかれる。
【００９８】
好ましい特徴によれば、プッシュボタン１６は、スライド３５、３６と実質的に一直線に並ぶように位置させられ得、さらに特に、前記スライドの移動方向に並ぶように、特に好ましくは、前記スライドと一体的に位置させられ得、故に、前記プッシュボタンは、前記スライド３５が有利に直接的に動くことをもたらすように配置される。
【００９９】
好ましくは、第１および第２改良型実施形態に適用するように、それ自体が本発明を構成することができる特徴によれば、継手軸部２１、２２は凹ハブ４０を有し、そこにおいて第１ラッチ部２５および第２ラッチ部３０のそれぞれの少なくともアクティブ部１１は、継手軸部２１、２２が前記ラッチ部２５、３０のアクティブ部１１周りに回転して動くことを可能にするために後退することができる。
【０１００】
有利に、ハブ４０は、ラッチ部２５、３０の少なくともアクティブ部１１、１２を、または、前記ラッチ部の全部ではないが実に大部分を収容するのに十分な大きな空間を占めるセットバックを提供し、それにより、始めに、把持可能部材５が回転して動くことを可能にする解放構成に保持手段１０があるとき、それが前記ハブの中に納まることを可能にし、そして、前記把持可能部材５を所定の位置にロックすることが必要であるときそれが展開することを可能にする。
【０１０１】
したがって、それ自体が本発明を構成することができる特徴によれば、継手軸部２１、２２は好ましくは解放凹部７０が備えられ、その中に、第１ラッチ２５は引っ込むことができ、ロックポジションから解放ポジションへ動くために、前記解放凹部７０の内側に向けての少なくとも部分的な移動をもたらす。
【０１０２】
好ましくは、図２に示されるように、前記ラッチ部が後退ポジションにあるとき、前記ラッチ部周りの前記ハブの回転の動きに対して障害物を形成することなしに、前記ハブ４０内に位置するようになるように、第１ラッチ部２５の縁部、特に鋭い縁部は斜角をつけられ、または、丸くされる。
【０１０３】
示されない改良型において、後退運動は実質的に軸方向であり得、ハブ４０は管状スリーブを実質的に形成し、その内側で、ラッチ部は実質的に軸方向のかつ前記スリーブと同軸である動きにおいて後退することができる。
【０１０４】
しかし、前記後退運動は、好ましくは、少なくとも１つの径方向成分を含み、または、実に基本的に径方向であり、すなわち、継手軸部の回転軸（ＸＸ´）に実質的に横であり、したがって、継手軸部の周囲からその中心に向けてラッチ部が動く径方向内側の動きに実質的に相当する。
【０１０５】
好ましくは、図２、３および６に示されるように、凹ハブ４０は、実質的に管状スリーブを形成するリム４１によって縁どられている。
【０１０６】
有利に、この配置は、実質的に円筒形止まりキャビティを有する凹ハブ４０を形成するように、継手軸部２１、２２にその端部から始めて軸方向に穴をあけることによって得られることができる。
【０１０７】
好ましくは、第１当接凹部２６は、リム４１の厚さにおいて設けられる。
【０１０８】
前記当接凹部２６がリム４１の内面から設けられた単一ブラインド刻み目によって形成されることができるけれども、前記当接凹部２６は、好ましくは、貫通凹部であり、すなわち、前記リムの厚さ方向において、径方向において、一方の側部から他方へリム４１を貫通する。
【０１０９】
この目的のために、前記当接凹部２６は、好ましくは、長手方向溝４２によって形成される。
【０１１０】
加えて、ハブ４０は、好ましくは、継手軸部２１の端部で開き、そして、長手方向溝４２は、好ましくは、前記継手軸部の回転軸（ＸＸ´）に実質的に平行な方向において、前記継手軸部２１の端部でリム４１を割る。
【０１１１】
この好ましい配置において、それ自体で本発明を構成することができる特徴によれば、リム４１の縁部面４３は、当接凹部２６の壁部を形成し、それ故、当接面２６Ａはすきまテークアップランプ部４４を与える。
【０１１２】
もちろん、前記ランプ部４４の角度ポジションは、ラッチ部２５の運動方向に応じて定められ、故に、前記ラッチ部のアクティブ部１１が前記ランプ部４４と係合してその上に進み、一方で、把持可能部材５は、楔のように、ハンドルの製造および組立てに関連する任意の寸法差を補うために、所定の位置にロックされる。
【０１１３】
さらに特に、図２、３および６に示されるように、前記ランプ部４４は、継手軸部の回転軸（ＸＸ´）に平行な面、つまり前記軸に対して横の径方向に交わる面に実質的に存在することができ、さらに特に、前記リム４１の縁部面４３によって形成される停止面からリムの周囲に向けて延びるようにテーパーになっているある種の先端を形成することができる。
【０１１４】
第１および第２改良型実施形態において、第１および第２ラッチ部２５、３０は、同じスライド３５によって運ばれ、クロスピース３９によってある距離離れて互いに対して実質的に平行にかつ保持される第１および第２舌状部３５Ａ、３５Ｂのそれぞれによって運ばれる、第１および第２隆起部によって形成されることができ、把持可能部材５は実質的に一直線上にある少なくとも第１および第２継手軸部２１、２２を有し、それを介してベース３に蝶番で動くように取り付けられ、前記継手軸部の各々は、第１に、第１ラッチ部２５または第２ラッチ部３０が解放ポジションへ後退することができる解放凹部７０を形成する凹ハブ４０を有し、第２に、前記ラッチ部が係合ポジションに挿入されるとき対応するラッチ部に当接面２６Ａ、３１Ａを提供する当接凹部２６、３１が設けられる厚さ方向において、前記ハブ４０の縁部を縁どるリム４１を有する。
【０１１５】
したがって、第１および第２改良型実施形態に共通である特徴によれば、第１経路Ｔ２５および／または第２経路Ｔ３０は、回転軸（ＸＸ´）に対して、実質的に横であり、さらに特に実質的に径方向であることができる。
【０１１６】
加えて、図１から図６に示される第１および第２改良型実施形態は有利にハンドル１を取り付けることをより容易にすることが注目に値する。
【０１１７】
ベース３を容器２に取り付ける前、前記ベースの中へスライド３５を、それを最大限にまで押すことによって、解放ポジションへ、挿入し、そして、ベース３の後に、容器の壁部４に対して当接状態になるように設計された壁部に面して、輪状部を与えることが可能であり、前記輪状部は回転させられ、すなわち、それの把持可能ポジションに対して実質的に半回転、回転される。
【０１１８】
したがって、当接部１３のセットバック１３Ｂは、継手軸部２１、２２を挿入する障害物を形成せず、それらはベアリングに沿って、それらが前記ベアリングの端壁部に対して当接状態になるまで、ベースの後から前へ、スライドされることができる。
【０１１９】
正反対にリム４１を通過する事実によって、溝４２は、第１ラッチ２５がハブ４０の中心にあるまで、ラッチ２５、３０が、前記リム４１を通過することを可能にする。
【０１２０】
そして、ハンドルは、その第１動作角度ポジションと第２動作角度ポジションのいずれか一方にそれをもたらすために、（図３および図４の時計回りに）約半回転、回転することが可能である。
【０１２１】
本発明をそれ自体で構成することができる特徴によれば、ハンドルは、第３ラッチ部２５´および第４ラッチ部３０´を含むことができ、それらラッチ部は、同じ継手軸部２１に位置づけられている、さらに特に同じリム４１に位置づけられている、２つの別個の、特にまさに反対側の当接凹部２６、２６´、３１、３１´においてロックをもたらすように、第１ラッチ部２５および第２ラッチ部３０のそれぞれと同時に行動することができるように配置される。
【０１２２】
さらに特に、図２および図３に示されるように、同じスライド３５は、さらに特に同じ第１舌状部３５Ａは、継手軸部２１、２２の端部に、そこからある距離に、実質的に配置されることができ、または、それの軸（ＸＸ´）に実質的に横の方向において、前記継手軸部に接触することができ、前記スライドは、継手軸部２１の軸（ＸＸ´）に実質的に平行な方向において互いから離間されて、前記スライドから横に突出する第１および第２隆起部によってそれぞれ形成される第１および第３ラッチ部２５、２５´を保持し、リム４１は、まさに反対側にある第１および第２当接凹部２６、２６´を形成するように一方の側から他方へ割れ、故に、スライド移動は第１および第３ラッチ部２５、２５´に、それぞれ、第１および第３当接凹部２６、２６´で同時に係合することを、あるいは、それら当接凹部から同時に解放することを、もたらす。
【０１２３】
有利に、第１隆起部の寸法は、それが凹ハブ４０内に位置することができるようであり、継手軸部は前記第１ラッチ部に実質的にフィットすることになる。スライドの面上の第１および第２隆起部間に設けられるスペースは、把持可能部材５が自由に回転運動することを可能にするためにラッチ部２５、２５´が引っ込められたとき、第１ラッチ部２５を囲むリム４１が、前記隆起部間で自由に回転運動することを可能にする。
【０１２４】
有利に、そのような配置は、継手軸部２１、２２の、したがって把持可能部材５の回転軸のいずれかの側のロックポイントの数を増やすことを可能にし、それにより、失敗の危険性をかなり制限することによって、完全な組立体にすばらしい頑健さおよびすばらしい信頼性を与える。
【０１２５】
加えて、当接部の過剰は、それらがそれらの把持可能第１角度ポジションにあるとき、把持可能手段５の非常に優れた安定性を保証する。
【０１２６】
好ましくは、ハンドルが実質的に対称である配置を有するとき、上記ダブルラッチ部構造は、図４または図５の左に位置づけられる第１継手軸部２１に両者ともに実質的に全く同じに面して、存在し、同じ図における矢状中央平面の右に位置づけられる第２継手軸部２２でも同様である。
【０１２７】
もちろん、第２および第４ラッチ部３０、３０´の特徴、および、第２および第４当接凹部３１、３１´の特徴は、必要な変更を加えて、推論されることができる。
【０１２８】
したがって、特に安定性のあり、バランスのとれた４つのラッチ部を有するロック機構を得ることが可能である。
【０１２９】
有利に、図３において明瞭に目に見えるように、スライド３５は、２つの舌状部３５Ａ、３５Ｂを有することができ、それらの各々は、継手軸部のそれぞれの一方と協働するそれぞれ対のラッチ部２５、２５´、３０、３０´を保持し、それらはベース３に設けられたレール３７に対してスライドすることによってガイドされ、それらに固定され、または、それらと一体化され、前記舌状部３５Ａ、３５Ｂは桁部を有するＵ形状引出スライド３８の２つの側枝部を形成し、クロスピース３９はプッシュボタン１６を有利に支持することができるスペーサを形成する。
【０１３０】
好ましくは、プッシュボタン１６およびクロスピース３９は、有利に、２つの継手軸部２１、２２の実質的に間の、ベース３の中央ポジションを占め、有利に、前記ベースの前面に切り取られた、実質的に相補的な形状の窓を通して、流れるようにまたは堂々として、ボタン１６が現れることが可能である。
【０１３１】
有利に、そのような配置は、安定して滑らかに操作されることができることを保証する前記プッシュボタン１６用のガイドをもたらし、加えて、ベースの前方幅の大部分に亘って延在することができると共に前記プッシュボタンをより容易に使用するようにする大きなプレス領域をユーザに提供する。
【０１３２】
特に有利に、ハンドル１に与えられる人間工学により、さらに特にプッシュボタン１６に与えられる配置により、上記機構は、図１から図４に示される第１改良型実施形態に適用するように、実質的に径方向かつ水平方向である方向に提供されることができ、または、逆に、図５および図６に示される第２改良型実施形態に適用するように、実質的に垂直である方向に提供されることができる。
【０１３３】
図７から図１０に示される第３改良型実施形態において、第１ラッチ部２５および第２ラッチ部３０は、有利に、好ましくは実質的に長方形ブロック形状に形付けられ、互いに対してスライド可能なように面当接状態に重ね合わせられ、好ましくは向かい合った状態に取り付けられる、ブレード５０によって形成されることができる。
【０１３４】
したがって、前記ブレード５０の端部は、第１および第２ラッチ部２５、３０のアクティブ部１１、１２を形成し、有利に対応する継手軸部２１、２２の端部で開く溝によって形成されることができる当接凹部２６、３１の中に挿入されるようになることができ、すなわち、当接面２６Ａ、３１Ａに対して当接状態になることができ、当接面２６Ａ、３１Ａはそれらの経路Ｔ２５、Ｔ３０に平行な面に、この例では軸（ＸＸ´）に平行である面に実質的に延在する。
【０１３５】
（図示しない）特定の実施形態では、各継手軸部は、交差方向において２つの当接凹部を備えることができ、例えば、把持可能部材５をそれの把持可能第１角度ポジションとそれのレスト第２角度ポジションとの両方において所定の位置にロックすることをラッチ部２５、３０に可能にする実質的に十字形状の刻み目を全般的に形成することができる。
【０１３６】
好ましくは、本発明をそれ自体が構成することができる特徴によれば、対応する制御部材１５は、単一で共通のプッシュボタン１６を備え、プッシュボタン１６は前記ラッチ部のいずれかまたは両方の運動方向に横の方向に、すなわち、第１経路Ｔ２５および／または第２経路Ｔ３０に実質的に横の方向に実質的に動き、前記第１および第２ラッチ部に反対の方向に同時に動くことをもたらす。
【０１３７】
さらに特に、前記プッシュボタンは、好ましくは、容器２に対してかつ継手軸部２１、２２の軸に対して実質的に径方向である経路をたどり、ラッチ部は継手軸部２１、２２の前記軸（ＸＸ´）に実質的に平行であるかそれと確かにぴったり一致する方向において動く。
【０１３８】
好ましくは、各ブレード５０は、プッシュボタン１６に固定されたまたはプッシュボタン１６に一体化された操作指部５２が、ラッチ部２５、３０のアクティブ部１１、１２を引っ込める傾向にある平行移動における動きにプッシュボタン１６の押し込みを変えることを可能にし、また、ラッチ部２５、３０のアクティブ部１１、１２を展開する傾向にある平行移動にプッシュボタンの戻りを変えることを可能にするダブルランプ部を形成する、傾斜する実質的に直線的な溝５１が備えられる。
【０１３９】
加えて、各ブレード５０は、動きの振幅を制限する働きをする後退当接部５４が備えられることができ、反対側のラッチ部２５、３０はユーザがそれらを引っ込めるとき、互いに向けて動く。
【０１４０】
加えて、本発明をそれ自体で構成することができる特徴によれば、すなわち、特に、図１１から図１３に示される第４改良型に提供される特徴によれば、所定の閾値よりも大きな力Ｆが前記把持可能部材５に及ぼされるとき、当接凹部２６、３１は、把持可能部材５自体によって、好ましくは直接的に制御されると共に第１角度ポジションから第２角度ポジションへ動くことを可能にするように対応するラッチ部２５、３０を押し返すことを可能にする、リロードランプ部６０を有することができる。
【０１４１】
好ましくは、このリロードランプ部６０は、図１６および図１７に見られることができるように、継手軸部２１、２２の周囲にＶ形状のノッチを形成する当接凹部２６、３１によって形成される。
【０１４２】
さらに特に、当接凹部２６、３１の壁部を形成する第１当接面２６Ａおよび／または第２当接面３１Ａは、前記リロードランプ部６０を形成するように、それぞれ、第１ラッチ部２５および第２ラッチ部３０の経路Ｔ２５、Ｔ３０に対して傾けられることができる。
【０１４３】
有利に、そのような構成特徴は、ハンドルの自動式ロックを得ることを可能にし、そのロックは、それにもかかわらず、把持可能部材５とは別個である制御部材を作動することを必要とすることなしに、可逆であり、それにより、ハンドル１のデザインおよびその使用をさらに単純化する。
【０１４４】
加えて、そのような統合リロードシステムは、有利に、輪状部６が把持可能ポジションにあるとき、それが衝撃を受け、そのような衝撃が前記輪状部を単に回転することによって吸収されるので、ハンドル破壊の危険性を、さらに特に保持手段１０を形成する機構の破壊の危険性を限定することを可能にする。
【０１４５】
最後に、本発明をそれ自体で構成するものによれば、例えば、ラッチ部の一方の任意の故障が他方のラッチ部の適切な働きに影響しないように、第２ラッチ部３０の動きから独立した第１ラッチ部２５の動きを得ること、および、前記ラッチ部の両方の働きを制御することの両方を、そのような特徴は可能にし、さらに特に、単一の共通の制御部材１５によって、それらに、引っ込み、解放ポジションへ行くことをもたらし、それにより、ハンドルの使用の人間工学および簡単さを改善する、ことが注目に値する。
【０１４６】
したがって、そのような改良型実施形態は、集中ロック制御の利便性、および、独立マルチポイントロックによって与えられる高まる安全性を組み合わせる。
【０１４７】
加えて、ラッチ部２５、３０は、また、実質的に円筒形でかつ、つる巻きバネのような共通弾性プレストレス部材６３の２つの端部のそれぞれの一方に反対側に有利に取り付けられるスタッド６１、６２によって形成されることができ、それにより、前記ピン６１、６２が、継手軸部の表面に対して押し付けられ、その除去に続き、さらに特に、当接凹部を形成するノッチに自動式スナップ留めを成し遂げることを可能にする。
【０１４８】
特に有利なように、図１２で目に見えるように、同様に、各継手軸部に複数のノッチを提供することが可能であり、それらのノッチは、複数の角度ポジション、特に把持可能第１角度ポジションとレスト第２角度ポジションとの両方を示すように、さらに好ましくは把持可能部材が前記角度ポジションの各々に安定してロックされることを可能にするように、互いからある程度の距離離れて分布され、前記継手軸部の周囲に窪みをつけられる。
【０１４９】
もちろん、本発明は、上記改良型実施形態に決して限定されず、上で含まれる教示は、特に、切り離され、互いから独立して実施されるのに適し、あるいは、互いと組み合わされるのに適する。
【０１５０】
加えて、好ましい特徴によれば、保持手段１０のアクティブ部１１、１２、さらに特にラッチ２５、３０のアクティブ部１１、１２が、内部に、把持可能部材５が第１角度ポジションにあるのか第２角度ポジションにあるのかあるいは実に前記第１および第２角度ポジション間の任意の中間ポジションにあるのかどうかにかかわらず、依然として含まれる保護ケースを、把持可能部材５および／またはベース３は定めることが注目に値する。
【０１５１】
有利に、図において一点鎖線で輪郭を書かれているそのような保護ケース２０は、把持可能部材５の、ベース３のまたはそれらの組み合わせの外面によって占められて定められる容積内に、ハンドル周りの環境から保護されるアクティブ部１１、１２を保持することを可能にする。
【０１５２】
有利に、そのような配置は、把持可能部材５の把持可能第１角度ポジションにおける保持の効力と信頼性が依拠するアクティブ部１１、１２の保全を維持することを可能にし、それ故、より概して、保持手段１０の適切な操作を保つことを可能にする。
【０１５３】
加えて、それは、乏しい操作または前記アクティブ部１１、１２あるいは保持手段１０と接触状態になるときの切断または挟むことによるけがの危険性を限定することが可能であり、前記ケースの場合、これらの部材へのユーザのアクセスを制限し、または、そのようなアクセスを不可能にする。
【０１５４】
もちろん、保護ケース２０の配置は、それ故把持可能部材５つまりベース３の配置、および、それらの間で生じる連結の配置は、要求される保護の程度に応じて適合され、また、ちり、水、脂肪または食べ物の吹き付けまたは吐出、調理からの排出、および、容器２をきれいにするために用いられる洗剤などの外部要素の性質に応じて適合されることができ、その中では、分離されていない場合、全体として、アクティブ部１１または保持手段１０を保護することが望まれる。
【０１５５】
特に、上記要素の１つおよび／またはその他から実質的にまたは実に全体的に封じ込められるバリアを構成する程度にまで保護ケース２０を改善するために、それは壁部４とベース３との間のおよび／またはベース３とハンドル１の様々な部材との間の、特に前記ベース３に対して動くように取り付けられる部材との間の連結部での平形ガスケットまたはＯリングシールなどの密閉フィットを提供することが可能である。
【０１５６】
好ましくは、図に示されるように、アクティブ部１１、さらに概して保持手段１０は、把持可能部材５およびベース３によって、好ましくは前記把持可能部材のおよび前記ベースの連続する途切れない壁部によって完全に隠されて覆われ、それにより、保護効果の域を越えて、ハンドルの仕上がりおよび審美的な外見を改善する。
【０１５７】
加えて、プッシュボタン１６は好ましくは目に見え、把持可能部材５自体から切り離してユーザによって作動可能な唯一の部材を構成するので、本発明のハンドル１の使用は特に直感的に理解でき安全である。
【０１５８】
加えて、保護ケース２０は、有利に、耐熱タイプの保護を、特に容器の高温壁に対する絶縁バリアを形成するベースを得ることができ、それにより、必ずしも高耐熱性でなく、保持手段１０の全てまたは幾つかのパーツの割には安くすることができる材料を用いることを可能にする、ことが注目に値する。
【０１５９】
もちろん、本発明はキッチン容器２それ自体に関し、前記容器は、本発明の、少なくとも１つの回転取付ハンドル、好ましくは２つの回転取付ハンドルを設けられ、上記特徴の全てまたは幾つかを有する。
【０１６０】
特に好ましくは、前記容器２は、家庭用圧力鍋タイプの、加圧下で食料を調理するための器具を構成し、その構造の完全性を損なうことなしに、特に前記壁部４によって定められる調理囲いの完全性を損なうことなしに、壁部４の外側に固定される回転取付ハンドルを有する。
【０１６１】
本発明の容器２に関連する回転取付ハンドル１の操作は、図２に示される第１改良型実施形態および図９に示される第３改良型実施形態に好ましくは関連して以下で説明される。
【０１６２】
最初に、容器２は、図２および図９の右側に示されるように、折り曲げられたハンドル１を与えられ、把持可能部材５はレスト第２角度ポジションを占める。
【０１６３】
第１改良型において、第１および第２ラッチ部２５、３０は、それらのそれぞれの継手軸部のハブ４０に含まれ、それらの各々は、リム４１の２つの連続角度領域間に実質的に静止保持される。
【０１６４】
第３改良型において、ブレード５０は、軸（ＸＸ´）の法線である継手軸部の垂直面の連続ゾーンに対して当接状態になる。
【０１６５】
したがって、ユーザが把持可能部材５をつかみ、それが方向Ｄ１におけるベース３周りの上向きの環状弧状経路を動くことをもたらすことができるように、輪状部６は、第１方向Ｄ１において、第１角度ポジションに向けて自由に軸回転することができる。
【０１６６】
この上向きの動きは、輪状部６の端部の突出要素１３Ｂが好ましくは把持可能第１角度ポジションに相当するポジションにおいてベース３に設けられる肩部１３Ａにぶつかるとき、停止当接部１３によって有利に妨げられる。
【０１６７】
この動きの間、輪状部６は、それが第１および第２当接凹部２６、３１を第１および第２ラッチ部２５、３０の動きの方向において位置が合うことを漸次もたらすように、それと共に動くその端部６Ａ、６Ｂに形成される継手軸部２１、２２を制約する。
【０１６８】
したがって、第１改良型において、リム４１は、前記当接凹部２６、３１が舌状部３５Ａ、３５Ｂおよびそれらのそれぞれのレール３７と実質的に一直線上に配置されるまで、徐々に後退し、それによりラッチ部を動くことができるように解放するのに十分である通路をあける。
【０１６９】
弾性プレストレス部材６３により及ぼされる圧力の影響下で、スライド３５は、ベースから径方向外側に進ませられ、クロスピース３９はその後ろで舌状部を引く引張棒のように振る舞う。
【０１７０】
したがって、ラッチ部は、それらを対でそれらのそれぞれの当接凹部にもたらす平行移動の動きに駆動される。
【０１７１】
したがって、「全てのまたは無の」係合運動によって、特に安全である、ダブルの偶数の四重ロックを得ることが可能である。
【０１７２】
第３改良型において、各継手軸部用の当接凹部を形成する正反対のスロットは、同時に回転運動させられることによって、前記当接凹部に、ブレードと位置が合うことをもたらし、故に、それらはそれらと強力にぴったり合い、前記ブレードはバネ６３からの駆動下で離れて軸方向に動くことでその中で係合し、その上、その際、操作指部５２に作用するランプ部５１を介して、ベース３から前方におよび後方にプッシュボタン１６を押す。
【０１７３】
有利に、ラッチ部のアクティブ部１１、１２は、例えば、リム４１の縁部面４３に対して表面接触状態になることにより、当接凹部に入り、さらに特に当接面２６Ａ、３１Ａを形成する当接凹部の壁部を係合し、それにより、反対の回転方向における把持可能部材５の任意の自発的なまたは強制的な復帰運動を妨げる。
【０１７４】
好ましくは、当接凹部にスナップ留めされるラッチ部は、ハンドルが所望ポジションに達し、ロックが操作可能であることをユーザに知らせる、可聴式ロックを生じる。
【０１７５】
加えて、好ましくは、ロックのための動きの必要性は、プッシュボタン１６のヘッドに、ベース３の外面に対して、突出するようにかつ明らかに目に見えるように外へ飛び出すことをもたらし、保持手段１０が作動させられていることの視覚的な目安をユーザに与える。
【０１７６】
加えて、第１改良型において、各スライド３５は、第１ラッチ部２５がすきまテークアップランプ部４４と係合するまで、その運動を続け、それにより、第１ラッチ部２５と停止当接部１３の両方に対してそれを押すように、実質的にぴったり合うように、第１方向Ｄ１における把持可能部材５の回転をわずかに強めることを可能にし、それにより、把持可能部材５を、第１方向Ｄ１または反対の第２方向Ｄ２の何らかにそれが動くことを妨げるようにロックする。
【０１７７】
そして、ハンドル１は、図２および図９の左側に特に示されるその直立構成にいつの間にかロックされ、その構成は、何ら危険性なしに容器２がつかまれて扱われることを可能にする。
【０１７８】
一旦容器２が用いられおよび／またはきれいにされると、例えば、それが食器洗い機に置かれることをより容易にするかまたはそれがしまわれることをより容易にするように、ユーザはハンドル１を折り曲げることができる。
【０１７９】
この目的のために、ユーザは、弾性プレストレス部材６３に対抗してプッシュボタン１６を押し下げ、それにより、ラッチ部２５、３０に、それらの当接凹部２６、３１から、それらがそれらのそれぞれの当接面２６Ａ、３１Ａから横に遠くにそれらを過ぎることができるように十分離れるまで、漸次それらを引き出すことによって後退することをもたらす。
【０１８０】
一旦、ラッチ部２５、３０が、それらのそれぞれの当接凹部から解放されると、さらに特に、一旦第１ラッチ部２５がハブ４０の中に引っ込められると、第２方向Ｄ２における、リム４１の、それ故に継手軸部２１の回転の運動に反対する障害物はもはやなく、故に、ユーザは、第１経路の実質的に反対である経路に沿って、ベース３周りに下向きにそれを回転運動させることにより把持可能部材２５を折り畳んでしまうことができる。
【０１８１】
したがって、本発明のハンドルは、任意のタイプのキッチン用容器２に素晴らしい人間工学を与えることを可能にし、一方、また、前記容器が安全かつ確実に扱われることができることを保証する。
【０１８２】
加えて、そのようなハンドルは、特に直感的に理解でき、再現可能で、かつ、耐久力のある、素晴らしいレベルの仕上がりおよび操作を提供する。
【０１８３】
加えて、本発明の保護ケース２０により与えられる保護は、外部攻撃から、保持手段１０の機構を、さらに一般的には全体としてハンドル１の機構を保護するのみならず、保持手段１０の動く部分から、ユーザを、さらに特にユーザの指を保護することをも可能にする。
【０１８４】
加えて、そのようなハンドルにおける相対的に簡単な形状の少ない数の機械的部品は、製造コストおよび時間並びに組立てコストおよび時間を極めて減らすことを可能にする。
【産業上の利用可能性】
【０１８５】
本発明は、調理用容器の設計および製造に、産業上、適用できる。
【図１】
0006025708.tif 000002
【図２】
0006025708.tif 000003
【図３】
0006025708.tif 000004
【図４】
0006025708.tif 000005
【図５】
0006025708.tif 000006
【図６】
0006025708.tif 000007
【図７】
0006025708.tif 000008
【図８】
0006025708.tif 000009
【図９】
0006025708.tif 000010
【図１０】
0006025708.tif 000011
【図１１】
0006025708.tif 000012
【図１２】
0006025708.tif 000013
【図１３】
0006025708.tif 000014